(57)【要約】【課題】効率的かつ有効な電柱広告を実現すること。【解決手段】サーバ１０１と、少なくとも一つの表示画面１０３を備えた電柱（広告表示装置）１０２とが、ネットワーク（既設通信網）１００によって接続されている。また、サーバ１０１は、広告主端末装置１０５（１０５ａ、１０５ｂ、１０５ｃ、・・・）と、インターネット１０４によって接続されている。各電柱１０２は、広告主端末装置１０５からサーバ１０１へ送信された広告情報および表示方法情報をネットワーク１００を介してサーバ１０１から受信し、表示画面１０３に、当該広告情報を表示方法情報に基づいて表示する。【選択図】図１
2010197915.tif 000002
【特許請求の範囲】
【請求項１】
サーバと各電柱とがネットワークによって接続され、前記各電柱に設けられた少なくとも一つの表示画面に広告情報を表示する電柱広告表示システムであって、
前記サーバは、
前記表示画面に表示する広告情報および当該広告情報を表示する日時に関する情報を含む当該広告情報の表示方法に関する表示方法情報を前記各電柱ごとに記憶する記憶手段と、
前記記憶手段に記憶された前記広告情報および前記表示方法情報を前記表示する日時に関する情報に基づいて各電柱へ前記ネットワークを介して送信する送信手段と、を備え、
前記各電柱は、
前記広告情報および前記表示方法情報を前記ネットワークを介して受信する受信手段と、
前記受信手段によって受信された広告情報および前記表示方法情報を記憶する記憶手段と、
前記表示画面を制御して、前記記憶手段に記憶された広告情報を前記記憶手段に記憶された表示方法情報に基づいて表示する表示制御手段と、
を備えたことを特徴とする電柱広告表示システム。
【請求項２】
サーバと各電柱とがネットワークによって接続され、前記各電柱に設けられた少なくとも一つの表示画面に広告情報を表示する電柱広告表示システムが実行する電柱広告表示方法であって、
前記サーバは、記憶手段と、送信手段とを備え、
前記記憶手段に、前記表示画面に表示する広告情報および当該広告情報を表示する日時に関する情報を含む当該広告情報の表示方法に関する表示方法情報を前記各電柱ごとに格納する格納工程と、
前記送信手段が、前記記憶手段に記憶された前記広告情報および前記表示方法情報を前記表示する日時に関する情報に基づいて各電柱へ前記ネットワークを介して送信する送信工程と、を含み、
前記各電柱は、受信手段と、記憶手段と、表示制御手段とを備え、
前記受信手段が、前記広告情報および前記表示方法情報を前記ネットワークを介して受信する受信工程と、
前記記憶手段に、前記受信工程によって受信された広告情報および前記表示方法情報を格納する格納工程と、
前記表示制御手段が、前記表示画面を制御して、前記記憶手段に記憶された広告情報を前記記憶手段に記憶された表示方法情報に基づいて表示する表示工程と、
を含んだことを特徴とする電柱広告表示方法。
【請求項３】
サーバと各電柱とがネットワークによって接続され、前記各電柱に設けられた少なくとも一つの表示画面に広告情報を表示する電柱広告表示システムに実行させる電柱広告表示プログラムであって、
前記サーバは、記憶手段と、送信手段とを備え、
前記記憶手段に、前記表示画面に表示する広告情報および当該広告情報を表示する日時に関する情報を含む当該広告情報の表示方法に関する表示方法情報を前記各電柱ごとに格納する格納工程と、
前記送信手段が、前記記憶手段に記憶された前記広告情報および前記表示方法情報を前記表示する日時に関する情報に基づいて各電柱へ前記ネットワークを介して送信する送信工程と、を前記サーバに実行させ、
前記各電柱は、受信手段と、記憶手段と、表示制御手段とを備え、
前記受信手段が、前記広告情報および前記表示方法情報を前記ネットワークを介して受信する受信工程と、
前記記憶手段に、前記受信工程によって受信された広告情報および前記表示方法情報を格納する格納工程と、
前記表示制御手段が、前記表示画面を制御して、前記記憶手段に記憶された広告情報を前記記憶手段に記憶された表示方法情報に基づいて表示する表示工程と、
を前記各電柱に実行させることを特徴とする電柱広告表示プログラム。
【発明の詳細な説明】
【技術分野】
【０００１】
この発明は、各電柱に設けられた少なくとも一つの表示画面に広告情報を表示する電柱広告表示システム、電柱広告表示方法および電柱広告表示プログラムに関する。
【背景技術】
【０００２】
従来、電柱広告は、広告内容が印刷された主に鉄板などの材質からなる広告体を、電柱に巻き付けたり、据え付けたりするものが一般的であった。それゆえに、広告内容を交換する際には、現地にて作業する必要があった。また、一度取り付けた広告は、交換するまでは同一の内容を表示し続けるのが現状であった。
【０００３】
また、夜間でも広告内容を確認できるようにするために、電柱広告を照灯する電柱広告照灯器に関する先行技術が存在する（下記特許文献１を参照。）。
【先行技術文献】
【特許文献】
【０００４】
【特許文献１】特開２００８−０９０２４８号公報
【発明の概要】
【発明が解決しようとする課題】
【０００５】
しかしながら、上述した従来の技術では、現地にて電柱１本ごとに交換作業をおこなうため、作業効率が悪いという問題点があった。また、同一内容の広告を常時独占的に表示するため、広告体を時間帯別、日程別にシェアしたり、同一の電柱に広告を出したいという複数のニーズに十分応えられないという問題点があった。
【０００６】
また、上記従来の技術にかかる広告体は、夜間は見づらく、広告機能が著しく低下する。また、非常時に避難場所などを案内する避難誘導電柱広告も夜間には十分な機能を反していないという問題点があった。
【０００７】
また、電柱を広告媒体としているため、地上に屋外表示しているものとしては膨大な数を所有しているにもかかわらず、広告主のニーズに合致していない場合が多く、電力会社としての資産の有効活用が図れていないという問題点があった。
【０００８】
この発明は、上述した従来技術による問題点を解消するため、効率的かつ有効な電柱広告を実現することができる電柱広告表示システム、電柱広告表示方法および電柱広告表示プログラムを得ることを目的とする。
【課題を解決するための手段】
【０００９】
上述した課題を解決し、目的を達成するため、この発明にかかる電柱広告表示システムは、サーバと各電柱とがネットワークによって接続され、前記各電柱に設けられた少なくとも一つの表示画面に広告情報を表示する電柱広告表示システムであって、前記サーバが、前記表示画面に表示する広告情報および当該広告情報を表示する日時に関する情報を含む当該広告情報の表示方法に関する表示方法情報を前記各電柱ごとに記憶する記憶手段と、前記記憶手段に記憶された前記広告情報および前記表示方法情報を前記表示する日時に関する情報に基づいて各電柱へ前記ネットワークを介して送信する送信手段と、を備え、前記各電柱が、前記広告情報および前記表示方法情報を前記ネットワークを介して受信する受信手段と、前記受信手段によって受信された広告情報および前記表示方法情報を記憶する記憶手段と、前記表示画面を制御して、前記記憶手段に記憶された広告情報を前記記憶手段に記憶された表示方法情報に基づいて表示する表示制御手段と、を備えたことを特徴とする。
【００１０】
また、この発明にかかる電柱広告表示システムは、上記発明において、前記サーバが、前記記憶手段に記憶された表示方法情報に基づいて、広告主への課金情報を作成する課金情報作成手段を備えていてもよい。
【００１１】
また、この発明にかかる電柱広告表示システムは、上記発明において、前記サーバが、広告主から、前記広告情報と、当該広告情報を表示する日時に関する情報と、前記電柱のうち当該広告情報を表示する電柱に関する情報とを、インターネットを介して受け付ける受付手段を備えていてもよい。
【００１２】
また、この発明にかかる電柱広告表示システムは、上記発明において、前記各電柱の表示制御手段が、表示する日時が同一の複数の広告情報がある場合は、当該複数の広告情報を所定の時間隔で切り換えて表示してもよい。
【００１３】
また、この発明にかかる電柱広告表示システムは、上記発明において、前記表示制御手段が、他の広告情報を表示している状態において、前記受信手段によって新たな表示情報を受信した場合、または前記受信手段によって受信した新たな表示情報の表示開始時刻になった場合に、当該表示情報の優先度に関する情報に基づいて、当該他の広告情報の表示に換えて、当該表示情報を表示してもよい。
【００１４】
また、この発明にかかる電柱広告表示方法は、サーバと各電柱とがネットワークによって接続され、前記各電柱に設けられた少なくとも一つの表示画面に広告情報を表示する電柱広告表示システムが実行する電柱広告表示方法であって、前記サーバが、記憶手段と、送信手段とを備え、前記記憶手段に、前記表示画面に表示する広告情報および当該広告情報を表示する日時に関する情報を含む当該広告情報の表示方法に関する表示方法情報を前記各電柱ごとに格納する格納工程と、前記送信手段が、前記記憶手段に記憶された前記広告情報および前記表示方法情報を前記表示する日時に関する情報に基づいて各電柱へ前記ネットワークを介して送信する送信工程と、を含み、前記各電柱は、受信手段と、記憶手段と、表示制御手段とを備え、前記受信手段が、前記広告情報および前記表示方法情報を前記ネットワークを介して受信する受信工程と、前記記憶手段に、前記受信工程によって受信された広告情報および前記表示方法情報を格納する格納工程と、前記表示制御手段が、前記表示画面を制御して、前記記憶手段に記憶された広告情報を前記記憶手段に記憶された表示方法情報に基づいて表示する表示工程と、を含んだことを特徴とする。
【００１５】
また、この発明にかかる電柱広告表示プログラムは、サーバと各電柱とがネットワークによって接続され、前記各電柱に設けられた少なくとも一つの表示画面に広告情報を表示する電柱広告表示システムに実行させる電柱広告表示プログラムであって、前記サーバが、記憶手段と、送信手段とを備え、前記記憶手段に、前記表示画面に表示する広告情報および当該広告情報を表示する日時に関する情報を含む当該広告情報の表示方法に関する表示方法情報を前記各電柱ごとに格納する格納工程と、前記送信手段が、前記記憶手段に記憶された前記広告情報および前記表示方法情報を前記表示する日時に関する情報に基づいて各電柱へ前記ネットワークを介して送信する送信工程と、を前記サーバに実行させ、前記各電柱が、受信手段と、記憶手段と、表示制御手段とを備え、前記受信手段が、前記広告情報および前記表示方法情報を前記ネットワークを介して受信する受信工程と、前記記憶手段に、前記受信工程によって受信された広告情報および前記表示方法情報を格納する格納工程と、前記表示制御手段が、前記表示画面を制御して、前記記憶手段に記憶された広告情報を前記記憶手段に記憶された表示方法情報に基づいて表示する表示工程と、を前記各電柱に実行させることを特徴とする。
【発明の効果】
【００１６】
この発明にかかる電柱広告表示システム、電柱広告表示方法および電柱広告表示プログラムによれば、電柱を電力供給のための設備としての認識から、地域によって有用な広告・情報提供をおこなうものとして認識させることができ、電力会社への理解・協力や、電柱広告の付加価値を高めることができるという効果を奏する。
【図面の簡単な説明】
【００１７】
【図１】この発明の実施の形態にかかる電柱広告表示システムのシステム構成を示す説明図である。
【図２】この発明の実施の形態にかかる電柱広告表示システムの広告表示装置（電柱）の外観を示す説明図である。
【図３】この発明の実施の形態にかかる電柱広告表示システムの広告表示装置（電柱）のハードウエア構成を示す説明図である。
【図４】この発明の実施の形態にかかる電柱広告表示システムの広告表示装置（電柱）の機能的構成を示す説明図である。
【図５】この発明の実施の形態にかかる電柱広告表示システムの広告表示装置（電柱）の処理の手順を示すフローチャート（その１）である。。
【図６】この発明の実施の形態にかかる電柱広告表示システムの広告表示装置（電柱）の処理の手順を示すフローチャート（その２）である。。
【図７】この発明の実施の形態にかかる電柱広告表示システムの広告表示装置（電柱）の処理の手順を示すフローチャート（その３）である。
【図８】この発明の実施の形態にかかる電柱広告表示システムのサーバのハードウエア構成を示す説明図である。
【図９】この発明の実施の形態にかかる電柱広告表示システムのサーバの機能的構成を示す説明図である。
【図１０】広告主データベース（ＤＢ）のデータ構成の一例を示す説明図である。
【図１１】電柱情報データベース（ＤＢ）のデータ構成の一例を示す説明図である。
【図１２】広告情報データベース（ＤＢ）のデータ構成の一例を示す説明図である。
【図１３】優先度情報のレベルと内容との関係を示す説明図である。
【図１４】課金情報データベース（ＤＢ）のデータ構成の一例を示す説明図である。
【図１５】この発明の実施の形態にかかる電柱広告表示システムのサーバの処理の手順を示すフローチャート（その１）である。
【図１６】この発明の実施の形態にかかる電柱広告表示システムのサーバの処理の手順を示すフローチャート（その２）である。
【図１７】この発明の実施の形態にかかる電柱広告表示システムの広告表示の一例を示す説明図（その１）である。
【図１８】この発明の実施の形態にかかる電柱広告表示システムの広告表示の一例を示す説明図（その２）である。
【図１９】この発明の実施の形態にかかる電柱広告表示システムの広告表示の一例を示す説明図（その３）である。
【図２０】この発明の実施の形態にかかる電柱広告表示システムの広告表示の一例を示す説明図（その４）である。
【図２１】この発明の実施の形態にかかる電柱広告表示システムの広告表示の一例を示す説明図（その５）である。
【発明を実施するための形態】
【００１８】
以下に添付図面を参照して、この発明にかかる電柱広告表示システム、電柱広告表示方法および電柱広告表示プログラムの好適な実施の形態を詳細に説明する。
【００１９】
（システム構成）
図１は、この発明の実施の形態にかかる電柱広告表示システムのシステム構成を示す説明図である。図１において、サーバ１０１と、少なくとも一つの表示画面１０３を備えた電柱（広告表示装置）１０２（１０２ａ、１０２ｂ、１０２ｃ、・・・）とが、ネットワーク（既設通信網）１００によって接続されている。また、サーバ１０１は、広告主端末装置１０５（１０５ａ、１０５ｂ、１０５ｃ、・・・）と、インターネット１０４によって接続されている。
【００２０】
（広告表示装置（電柱）の構成）
図２は、この発明の実施の形態にかかる電柱広告表示システムの広告表示装置（電柱）の外観を示す説明図である。図２において、電柱１０２には、３つの表示画面１０３が設けられている。各表示画面１０３は、電力線（実線）によって電力が供給されるとともに、通信線（点線）によってネットワーク（既設通信網）１００と接続され、サーバ１０１からの情報を受信する。
【００２１】
電柱１０２の設置位置やその電柱を見る状況（たとえば、歩行者が歩きながら見たり、車に乗車中に見たりするなどの状況）に応じて、表示画面１０３の数、大きさ、形状、電柱１０２における設置高さ、向き（縦向き／横向き）などを電柱１０２ごとに変更することができる。電柱１０２の円柱形状にあわせて、表示画面１０３を湾曲させ、電柱１０２に巻き付けるように設置してもよい。
【００２２】
図３は、この発明の実施の形態にかかる電柱広告表示システムの広告表示装置（電柱）のハードウエア構成を示す説明図である。図３において、広告表示装置（電柱）１０２は、ＣＰＵ３０１と、メモリ３０２と、ディスプレイ３０３と、Ｉ／Ｆ（インタフェース））３０４と、時計３０５と、電力供給部３０６と、スピーカー３０７と、を備えている。
【００２３】
ＣＰＵ３０１は、広告表示装置（電柱）１０２の全体の制御を司る。メモリ３０２は、ＣＰＵ３０１が実行するプログラムやデータを記憶するとともに、サーバ１０１から送信された情報（詳細は後述する）を一時的に記憶する。メモリ３０２は、ＲＡＭ、ＲＯＭなどによって構成される。ディスプレイ３０３は、たとえば液晶ディスプレイ、有機ＥＬディスプレイ、プラズマディスプレイなどによって構成される。
【００２４】
Ｉ／Ｆ３０４は、通信線を介してネットワーク１００との情報の送受信をおこなう。このように、既設の通信線を利用することで、簡易に設置が可能となる。また、Ｉ／Ｆ３０４は、無線によりネットワーク１００との情報の送受信がおこなえる者であってもよい。Ｉ／Ｆ３０４は、たとえばモデムやＬＡＮアダプタなどである。時計３０５は、現在日時（時刻）を計時する。時計３０５は、ＣＰＵ３０１が備えている計時機能で代用することもできる。電力供給部３０６は、電力線からの電力を、広告表示装置（電柱）１０２に供給する。電力供給部３０６は蓄電機能を備えていてもよい。また、電力供給部３０６は太陽光発電機能および蓄電機能を備えていてもよい。
【００２５】
スピーカー３０７は、図２においては図示を省略するが、電柱１０２の所定箇所に設けられる。ディスプレイ３０３の表面や、その他の部材を用いて音声を出力するものであってもよい。
【００２６】
図４は、この発明の実施の形態にかかる電柱広告表示システムの広告表示装置（電柱）の機能的構成を示す説明図である。図４において、広告表示装置（電柱）１０２は、表示画面１０３のほか、受信部４０１と、記憶部４０２と、表示制御部４０３と、音声出力部４０４と、を含む構成となっている。
【００２７】
受信部４０１は、表示画面１０３に表示する広告情報およびその広告情報を表示する日時に関する情報を含む広告情報の表示方法に関する表示方法情報をネットワーク１００を介してサーバ１０１から受信する。受信部４０１は、具体的には、たとえば図３に示したＩ／Ｆ３０４によってその機能を実現する。表示方法情報の詳細については後述するが、少なくとも、広告情報の表示開始時刻（日時）と表示終了時刻（日時）に関する情報と、表示優先度に関する情報を含んでいる。
【００２８】
記憶部４０２は、受信部４０１によって受信された広告情報および表示方法情報を記憶する。広告情報は、静止画像でもよく動画でもよい。記憶部４０２は、それらの広告情報を複数記憶できるだけの記憶容量を備えている。また、記憶部４０２に記憶された広告情報、表示方法情報であって、表示終了時刻を経過したものについては、その後記憶部４０２から消去して、新たに表示する広告情報および表示方法情報を記憶するための領域を確保する。記憶部４０２は、具体的には、たとえば図３に示したメモリ３０２によってその機能を実現する。
【００２９】
表示制御部４０３は、表示画面１０３を制御して、記憶部４０２に記憶された広告情報を記憶部４０２に記憶された当該広告情報の表示方法情報に基づいて表示画面１０３に表示する。また、表示制御部４０３は、表示する日時が同一の複数の広告情報が記憶部４０２に記憶されている場合は、それらの複数の広告情報を所定の時間隔で切り換えて表示する。表示制御部４０３は、具体的には、たとえば図３に示したＣＰＵ３０１が、メモリ３０２に記憶されたプログラムを実行することによってその機能を実現することができる。
【００３０】
また、表示制御部４０３は、他の広告情報を表示している状態において、受信部４０１によって新たな表示情報（表示情報には、広告情報のほか、緊急告示情報などを含む）を受信した場合に、または受信部４０１によって受信した新たな表示情報の表示開始時刻になった場合に、当該表示情報の優先度に関する情報に基づいて、優先度が当該他の広告情報よりも高い場合は、当該他の広告情報の表示に換えて、当該表示情報を表示する。
【００３１】
優先度が当該他の広告情報よりも低い場合は、受信した新たな表示情報は当該他の広告情報の表示終了時刻が来るまで表示せず、表示終了時刻が経過後に表示する。また、優先度が当該他の広告情報と同じ場合は、それらの複数の広告情報を所定の時間隔で切り換えて表示する。
【００３２】
音声出力部４０４は、広告情報に音声情報が含まれている場合に、当該音声情報を出力する。音声出力部４０４によって出力される音声には、ＢＧＭ、ナレーション、効果音などが含まれる。音声出力部４０４は、具体的には、たとえば図３に示したスピーカー３０７によってその機能を実現する。
【００３３】
図５〜図７は、この発明の実施の形態にかかる電柱広告表示システムの広告表示装置（電柱）の処理の手順を示すフローチャートである。図５のフローチャートは、広告情報・表示方法情報の受信・記憶・消去の処理の手順を示している。図５のフロートチャートにおいて、受信部４０１において広告情報・表示方法情報を受信したか否かを判断する（ステップＳ５０１）。ここで、広告情報・表示方法情報を受信しない場合（ステップＳ５０１：Ｎｏ）は、ステップＳ５０３へ移行する。一方、広告情報・表示方法情報を受信した場合（ステップＳ５０１：Ｙｅｓ）は、受信した広告情報・表示方法情報を記憶部４０２の所定の記憶領域に記憶する（ステップＳ５０２）。
【００３４】
つぎに、ステップＳ５０３において、表示終了時刻を経過した広告情報があるか否かを判断する（ステップＳ５０３）。ここで、表示終了時刻を経過した広告情報がない場合（ステップＳ５０３：Ｎｏ）は、何もせずに、ステップＳ５０１へ戻る。一方、表示終了時刻を経過した広告情報がある場合（ステップＳ５０３：Ｙｅｓ）は、当該広告情報および当該広告情報の表示方法情報を消去し（ステップＳ５０４）、その後、ステップＳ５０１へ戻る。
【００３５】
ステップＳ５０３における判断は、たとえば、表示画面を切り換える際におこなうようにしてもよく、また、所定時間隔で定期的におこなうようにしてもよい。また、記憶部４０２の記憶容量が所定量以下になった場合にのみおこなうようにし、それまでは、表示終了時刻を経過した広告情報を消去せずに残しておくようにしてもよい。それによって、当該広告情報の再度の表示指示があった場合には、新たに受信せず、記憶された当該広告情報を再利用することができる。さらに、広告情報の消去は、サーバ１０１からの消去命令情報に基づいておこなうようにしてもよい。
【００３６】
図６のフローチャートは、通常の広告表示の処理の手順を示している。すなわち、他の広告情報と表示開始・終了時刻（日時）が重ならない場合である。図６のフローチャートにおいて、表示制御部４０３は、図３に示した時計３０５の時刻を参照して現在時刻（日時）を取得するとともに、記憶部４０２に記憶している表示方法情報の表示開始時刻（日時）を抽出し、両者を比較する。そして、表示開始時刻（日時）になったか否かを判断する（ステップＳ６０１）。
【００３７】
ステップＳ６０１において、表示開始時刻（日時）になるのを待って（ステップＳ６０１：Ｎｏ）、表示開始時刻（日時）になった場合（ステップＳ６０１：Ｙｅｓ）は、表示制御部４０３は、広告情報を記憶部４０２から抽出し（ステップＳ６０２）、抽出された広告情報を表示する（ステップＳ６０３）。広告情報が動画の場合は、動画終了した後は、同一の動画を最初から繰り返し表示し続ける。
【００３８】
その後、表示制御部４０３は、表示終了時刻（日時）になったか否かを判断する（ステップＳ６０４）。ここで、表示終了時刻（日時）になるのを待って（ステップＳ６０４：Ｎｏ）、表示終了時刻（日時）になった場合（ステップＳ６０４：Ｙｅｓ）は、消費電力を抑えるために、表示画面１０３の電力をオフにするか、あるいは、あらかじめ記憶部４０２に記憶されている、あるいは、受信部４０１によってサーバ１０１から受信された電柱広告の募集広告情報などの情報を表示する（ステップＳ６０５）。これによって、一連の処理を終了する。
【００３９】
また、図７のフローチャートは、他の広告情報と表示開始・終了時刻（日時）が重なる場合の広告表示の処理の手順を示している。図７のフローチャートにおいて、表示制御部４０３は、図３に示した時計３０５の時刻を参照して現在時刻（日時）を取得するとともに、記憶部４０２に記憶している表示方法情報の表示開始時刻（日時）を抽出し、両者を比較する。そして、表示開始時刻（日時）になったか否かを判断する（ステップＳ７０１）。
【００４０】
ステップＳ７０１において、表示開始時刻（日時）になるのを待って（ステップＳ７０１：Ｎｏ）、表示開始時刻（日時）になった場合（ステップＳ７０１：Ｙｅｓ）は、表示制御部４０３は、表示開始時刻（日時）になった広告情報（「対象広告情報」）の優先度に関する情報と、すでに表示されている広告情報の優先度に関する情報とを比較する（ステップＳ７０２）。
【００４１】
ステップＳ７０２において、上記対象広告情報の優先度の方が、すでに表示されている広告情報の優先度よりも低い場合（ステップＳ７０２：優先度低）は、表示制御部４０３は、すでに表示されている広告情報の表示終了後に、上記対象広告情報を表示する（ステップＳ７０３）。その際、上記対象広告情報の表示時間は、表示終了時刻（日時）までの時間としてもよく、また、さらに表示できなかった時間を加算して、表示終了時刻（日時）後に延長して表示するようにしてもよい。その後、図６に示したステップＳ６０４へ移行する。
【００４２】
またステップＳ７０２において、上記対象広告情報の優先度と、すでに表示されている広告情報の優先度とが同じ場合（ステップＳ７０２：優先度同じ）は、表示制御部４０３は、各広告情報を所定時間ごとに順次切り換えて表示する（ステップＳ７０４）。所定時間としては、たとえば３０秒ごと切り換えて表示するとよい。その後、図６に示したステップＳ６０４へ移行する。
【００４３】
またステップＳ７０２において、上記対象広告情報の優先度の方が、すでに表示されている広告情報の優先度よりも高い場合（ステップＳ７０２：優先度高）は、表示制御部４０３は、すでに表示されている広告情報を、上記対象広告情報に書き換える（ステップＳ７０５）。その後、図６に示したステップＳ６０４へ移行する。
【００４４】
このようにして、他の広告情報と表示開始・終了時刻（日時）が重なる場合には、上記のような所定の対応処理をおこなう。そして、他の広告情報が表示されたことによって、本来表示されるべき時間が短縮された場合には、その時間を算出し、算出された時間を考慮して課金をおこなうようにするとよい。
【００４５】
（サーバの構成）
図８は、この発明の実施の形態にかかる電柱広告表示システムのサーバのハードウエア構成を示す説明図である。図８において、サーバ１０１は、ＣＰＵ８０１と、ＲＡＭ８０２と、ＲＯＭ８０３と、ＨＤ８０４と、ディスプレイ８０５と、Ｉ／Ｆ（インタフェース）８０６と、キーボード８０７と、ポインティングデバイス８０８と、プリンタ８１０と、スキャナ８０９と、を備えている。そして、上記各構成部はバス８００によってそれぞれ接続されている。
【００４６】
ＣＰＵ８０１は、サーバ１０１全体の制御を司る。ＲＡＭ８０２は、ＣＰＵ２０１のワークエリアとして使用される。ＲＯＭ８０３は、ブートプログラムなどのプログラムを記憶している。ＨＤ８０４は、各種の情報（データ、プログラムなど）を記憶する。ディスプレイ８０５は、文書、画像、機能情報などのデータを表示する。たとえば、ＴＦＴ液晶ディスプレイのほか、ＣＲＴ、プラズマディスプレイや有機ＥＬディスプレイなどであってもよい。
【００４７】
Ｉ／Ｆ（インタフェース）８０６は、通信回線を通じてネットワーク１００に接続され、ネットワーク１００を介して、サーバ１０１や他の情報処理装置、各種データベースなどに接続される。そして、Ｉ／Ｆ８０６は、ネットワーク１００と装置内部とのインタフェースを司り、サーバ１０１、他の情報処理装置、各種データベースからのデータの入出力を制御する。Ｉ／Ｆ８０６は、たとえばモデムやＬＡＮアダプタなどである。またＩ／Ｆ８０６は、ＵＳＢなどの外部入出力としても用いることができる。
【００４８】
サーバ１０１は、上記のほか、顧客情報を含む各種データ入力をするためのキーボード８０７、ポインティングデバイス８０８、スキャナ８０９を備えていてもよい。また、各種データを出力するためのプリンタ８１０、を備えていてもよい。
【００４９】
図９は、この発明の実施の形態にかかる電柱広告表示システムのサーバの機能的構成を示す説明図である。図９において、サーバ１０１は、受付部９０１と、制御部９０２と、記憶部９０３と、送信部９０４と、課金情報作成部９０５と、を含む構成となっている。
【００５０】
また、記憶部９０３は、広告主情報データベース（ＤＢ）９１１と、電柱情報データベース（ＤＢ）９１２と、広告情報データベース（ＤＢ）９１３と、課金情報データベース（ＤＢ）９１４と、を含んでいる。記憶部９０３は、具体的には、たとえば図８に示したＲＡＭ８０２、ＲＯＭ８０３、ＨＤ８０４によってその機能を実現する。また、上記各データベース９１１〜９１４は、ネットワーク１００上にアクセス可能に接続された、図示を省略する他の情報処理装置内にあってもよい。
【００５１】
図１０は、広告主情報ＤＢ９１１のデータ構成の一例を示す説明図である。図１０において、広告主情報ＤＢ９１１は、電柱広告を提供する広告主に関する情報を記憶（格納）する。具体的には、たとえば、広告主を特定する固有の「広告主ＩＤ」ごとに、広告主の「氏名（名称）」、広告主の「業種」、「住所」、「電話番号」、電子メールの「メールアドレス」、広告料の「支払方法」（具体的には請求書を送付するのか、クレジットカードによる支払いにするのかなど）などの項目について、各広告主に関する情報が格納される。さらに、図示は省略するが、必要に応じて、ファクシミリ番号、クレジットカード番号や、過去の電柱広告の利用履歴などを含めるようにしてもよい。
【００５２】
図１１は、電柱情報ＤＢ９１２のデータ構成の一例を示す説明図である。電柱情報データベース（ＤＢ）９１２は、電柱広告表示システムにおいて管理される電柱（広告表示装置）１０２に関する情報を記憶（格納）する。具体的には、たとえば、各電柱１０２を特定する固有の「電柱ＩＤ」ごとに、電柱１０２の「所在地」、ネットワーク１００における「ネットワークアドレス」、「表示画面の内容」、「単価」などの項目について、各電柱１０２に関する情報が格納される。
【００５３】
また、電柱１０２に設けられた複数の表示画面１０３ごとに一つずつ割り当ててもよい。「電柱ＩＤ」を表示画面ごとに割り当てる場合は、同一の電柱１０２に設けられる表示画面１０３には枝番などを用いるようにするとよい。
【００５４】
「所在地」の項目には、具体的には、たとえば電柱１０２が設置されている住所に関する情報緯度経度情報などが格納される。また「所在地」の項目には、当該電柱１０２に隣接する電柱に関する情報（隣接する電柱との距離、方向など）もあわせて格納される。この情報は、後述するように、複数の電柱を用いて一つの広告を表示する場合などに利用する。
【００５５】
「ネットワークアドレス」の項目に格納された、電柱１０２ごとに割り当てられたネットワーク１００におけるネットワークアドレスは、サーバ１００から広告情報、表示方法情報などの各種情報を送信する宛先として利用する。
【００５６】
「表示画面の内容」は、電柱１０２に設けられた表示画面１０３の種類、サイズ、形状などの情報が格納される。「表示画面の内容」に関する情報は、表示画面にあわせた広告情報の加工や編集をおこなう際に利用する。
【００５７】
「単価」は、当該電柱１０２（表示画面１０３）に対する所定時間あたりの広告料についての情報などが格納される。「単価」に関する情報は、広告主への課金情報を作成する際に用いられる。また、Ｗｅｂページ上での公開にも用いる。単価（広告料）に関する情報は、具体的には、１日または１時間あたりの広告料に関する情報が、時間帯（日中、夜間、深夜など）や、平日／休日や、季節などによって、それぞれ異なる金額を設定することができる。
【００５８】
図１２は、広告情報ＤＢ９１３のデータ構成の一例を示す説明図である。広告情報ＤＢ９１３には、電柱１０２の表示画面１０３に記憶する広告の内容などに関する情報を記憶（格納）する。具体的には、たとえば、各広告情報を特定する固有の「広告情報ＩＤ」ごとに、「広告情報」、当該広告の広告主を特定する「広告主ＩＤ」、広告情報を表示する電柱１０２（表示画面１０３）を特定する「電柱ＩＤ」、「表示開始時刻（日時）」、「表示終了時刻（日時）」、「優先度」、「実績」などの項目について、各広告に関する情報が格納される。
【００５９】
「広告情報」は、各電柱１０２の表示画面１０３に表示する広告内容に関する画像（動画、静止画）情報であり、あらかじめ定められた所定のアプリケーションプログラムによって表示画面１０３において表示（再生）可能なものである。さらに、広告情報を表示（再生）するためのアプリケーションの種類に関する情報や、広告情報が複数含まれている場合（平日バージョンの広告と、休日バージョンの広告という場合など）にその切り換えタイミングに関する情報などを含む。
【００６０】
「表示開始時刻（日時）」、「表示終了時刻（日時）」には、具体的な時刻、すなわち表示期限についての情報であってもよく、また、曜日や１日のうちの表示時間帯に関する情報を含んでいてもよい。
【００６１】
「優先度」は、当該広告情報の表示の優先度を示す情報である。図１３は、優先度情報のレベルと内容との関係を示す説明図である。図１３において、広告情報の優先度は複数のレベル分けがなされており、優先度レベル「１」がもっとも高い優先度として設定されている。優先度レベル「１」は、他の広告情報に対して優先して表示する、公共性や緊急性が高い内容の情報である。具体的には、たとえば（気象）警報や緊急告知などがこの優先度レベル「１」に該当する。
【００６２】
優先度レベル「２」には、公共性や緊急性はないが、臨時で広告すべき内容の情報である。具体的には、不定期に開催されるイベントの情報やイベント会場への道案内、葬儀会場への道案内などがこの優先度「２」に該当する。優先度レベル「３」は、それ以外の通常の広告情報である。優先度レベル「３」の情報は、優先度レベル「１」や「２」の情報がある場合には、それらの優先度の高い情報を優先させて表示する。たとえば、病院や店舗の道案内などがこの優先度「３」に該当する。
【００６３】
「実績」は、表示終了時刻が終了後に、実際に電柱１０２（表示画面１０３）に表示された実績に関する情報を記憶（格納）する。他の割り込み広告情報によって、当初想定していた広告期間に予定通りに広告されたか否かに関する情報、予定通りに広告されたなかった場合に、どのような割り込みの広告情報があったかなどに関する情報を記憶する。「実績」に関する情報は、広告主への実績報告や、課金情報を作成する際に利用する。
【００６４】
図１４は、課金情報ＤＢ９１４のデータ構成の一例を示す説明図である。図１４において、課金情報ＤＢ９１４には、電柱広告に対して課金する際の課金情報を記憶（格納）する。具体的には、たとえば、各課金情報を特定する固有の「課金情報ＩＤ」ごとに、「広告情報ＩＤ」、広告をおこなった電柱１０２を特定する「電柱ＩＤ」、実際に表示された時間や時期に関する「表示時期（時間）」、広告主へ請求する金額に関する「金額」などの項目について、各広告に関する情報が格納される。
【００６５】
「広告情報ＩＤ」は、図１２に示した広告情報ＤＢ９１３の「広告情報ＩＤ」と同一のＩＤを用いる。「電柱ＩＤ」は、図１１に示した電柱情報ＤＢ９１２の「電柱ＩＤ」と同一のＩＤを用いる。
【００６６】
「表示時期（時間）」には、実際に表示された時間や時期に関する情報が格納される。また、「金額」には、「表示時期（時間）」に基づいて算出された、広告主へ請求する金額に関する金額情報が格納される。
【００６７】
図９に戻って、受付部９０１は、各電柱（広告表示装置）１０２の表示画面１０３に表示する広告情報および表示方法情報を、図１に示した広告主端末装置１０５からインターネット１０４を介して受け付ける。具体的には、たとえば、Ｗｅｂにおける所定のＵＲＬに登録されたページに、所定事項を入力することによって受付処理がおこなわれる。また、広告主端末装置１０５から送信された電子メールを受信することによって受付処理がおこなわれるようにしてもよい。受付部９０１は、具体的には、たとえば図８に示したＩ／Ｆ８０６によってその機能を実現する。
【００６８】
制御部９０２は、サーバ１０１全体の制御を司る。また制御部９０２は、記憶部９０３（広告情報ＤＢ９１３）に、広告情報および表示方法情報を各電柱１０２ごとに記憶する。制御部９０２は、具体的には、たとえば図８に示したＣＰＵ８０１がＲＡＭ８０２、ＲＯＭ８０３、ＨＤ８０４に記憶されたプログラムを実行することによってその機能を実現する。
【００６９】
また制御部９０２は、記憶部９０３に記憶された広告情報および表示方法情報を表示する日時に関する情報に基づいて、記憶部９０３から抽出し、送信部９０４へ渡す。広告情報および表示方法情報を抽出するタイミングについては、各広告情報の表示開始時刻にあわせて、あるいは各電柱ごとに現在表示されている広告情報の表示終了時刻にあわせて送信するようにすればよい。
【００７０】
送信部９０４は、制御部９０２から渡された広告情報および表示方法情報を各電柱１０２へネットワーク１００を介して送信する。送信部９０４は、具体的には、たとえば図８に示したＩ／Ｆ８０６によってその機能を実現する。
【００７１】
課金情報作成部９０５は、広告主への課金情報を作成する。課金情報作成部９０５は、具体的には、たとえば図８に示したＣＰＵ８０１がＲＡＭ８０２、ＲＯＭ８０３、ＨＤ８０４に記憶されたプログラムを実行することによってその機能を実現する。
【００７２】
課金情報作成部９０５は、具体的には、広告情報ＤＢ９１３の「表示開始時刻」、「表示終了時刻」、「実績」の各項目から、実際に表示された時間や時期に関する情報を抽出し、課金情報ＤＢ９１４の、「表示時期（時間）」の項目に格納するとともに、広告がおこなわれた電柱情報ＤＢ９１２の電柱１０２の「単価」の項目から、電柱１０２の単価情報を抽出し、それらの情報から、広告主への請求金額を算出し、課金情報ＤＢ９１４の「金額」項目に格納する。
【００７３】
図１５および図１６は、この発明の実施の形態にかかる電柱広告表示システムのサーバの処理の手順を示すフローチャートである。図１５のフローチャートにおいて、受付部９０１が、広告主端末装置１０５から、インターネット１０４を介して、広告情報、表示方法情報を受信したか否かを判断する（ステップＳ１５０１）。ここで、広告情報、表示方法情報を受信した場合（ステップＳ１５０１：Ｙｅｓ）は、制御部９０２は、受信した広告情報、表示方法情報を記憶部９０３（広告情報ＤＢ９１３）へ格納する（ステップＳ１５０２）。一方、広告情報、表示方法情報を受信しない場合（ステップＳ１５０１：Ｎｏ）は、何もせずに、ステップＳ１５０３へ移行する。
【００７４】
つぎに、ステップＳ１５０３において、制御部９０２は、上述した所定の時刻（日時）になったか否かを判断する（ステップＳ１５０３）。ここで、所定の時刻に未だなっていない場合（ステップＳ１５０３：Ｎｏ）は、何もせずに、ステップＳ１５０１へ戻る。一方、所定時刻（日時）になった場合（ステップＳ１５０３：Ｙｅｓ）は、送信部９０４は、当該広告情報、表示方法情報を所定の電柱へ送信する（ステップＳ１５０４）。その後、ステップＳ１５０１へ戻る。このようにして、広告主から広告依頼があった広告情報を、各電柱１０２へ送信することができる。
【００７５】
図１６のフローチャートにおいて、制御部９０２は、所定の時刻（日時）になったか否かを判断する（ステップＳ１６０１）。所定の時刻（日時）は、あらかじめ定められた日時（たとえば、毎月２０日など）であってもよく、広告主ごとにそれぞれ別個に定められた請求日に応じて設定するようにしてもよい。
【００７６】
ステップＳ１６０１において、所定時刻（日時）になるのを待って（ステップＳ１６０１：Ｎｏ）、所定の時刻（日時）になった場合（ステップＳ１６０１：Ｙｅｓ）は、課金情報作成部９０５は、課金情報作成処理を実行し（ステップＳ１６０２）、作成された課金情報を記憶部９０３（課金情報ＤＢ９１４）に格納し（ステップＳ１６０３）、ステップＳ１６０１へ戻る。このようにして、広告実績に基づいた課金処理をおこなうことができる。
【００７７】
（広告の表示例）
図１７〜図２１は、この発明の実施の形態にかかる電柱広告表示システムの広告表示の一例を示す説明図である。図１７は、一つの広告体（表示画面１０３）に、表示時期が重なる２つの広告情報）がある場合の一例である。２つの広告情報（「Ａレコード店」と「Ｂコーヒー店」）をあらかじめ設定した所定時間ごとに交互に切り換えて表示する。これによって、異なる場所にある店舗の広告を分岐点などに存在する一つの電柱１０２によって効率よく広告することが可能となる。
【００７８】
図１８は、店舗の業種や営業形態などの違いから、表示時間帯を異なるように設定して表示する場合の一例である。各広告内容からわかるように、各店舗の営業時間がそれぞれ異なるため、その営業時間にあわせて、表示開始時刻および表示終了時刻を決定している。掲載（表示）希望時間帯が重なる場合は、図１７で示したように、所定時間隔で交互に表示することによって、表示画面１０３のシェアをおこなうことできる。
【００７９】
図１９は、停電の状況を、地域ごとにわけて、より地域に密着した情報を、最適な電柱１０２の表示画面１０３に表示する。このように、停電時に電柱広告へ停電情報を流すことによって、有線放送などよりも早く情報を住民へ伝達することができる。また、故障箇所が住民によって発見される場合も多く、その場合に、広告情報に連絡先を表示することによって、故障箇所の早期発見、故障原因の早期特定に寄与できる。
【００８０】
図２０は、道路に沿って設けられた電柱１０２の表示画面１０３を利用することによって、道路状況の情報提供などインフラ関連の情報や、災害時の避難経路などを効率的かつ確実に表示することができる。図２０に示すように、道路の進行方向に沿った複数の電柱を連動させて利用することによって、走行中の自動車などからも確実にその表示内容が把握できる。
【００８１】
図２１は、通学路などの道路に沿って設けられた電柱１０２に、時間帯にあわせて表示内容を変えることによって、より公共性の高い情報の提示をすることができる。具体的には、たとえば、児童や生徒の通学時間帯であれば「横断歩道注意」「飛び出し注意」など、児童や生徒への注意喚起とともに、運転者への注意喚起をおこない、交通安全に寄与することができる。また、夜間であれば、「ひったくり注意」など、夜間に発生しやすい犯罪の防止に寄与できる。これらは、犯罪の発生地域や時間帯を想定して、効率よく表示することによって、犯罪発生の抑止力となり得る。
【００８２】
以上説明したように、この実施の形態の電柱広告表示システム、電柱広告表示方法および電柱広告表示プログラムによれば、サーバ１０１と各電柱１０２とがネットワーク１００によって接続され、各電柱１０２に設けられた少なくとも一つの表示画面１０３に広告情報を表示する電柱広告表示システムであって、サーバ１０１が、表示画面１０３に表示する広告情報および当該広告情報を表示する日時に関する情報を含む当該広告情報の表示方法に関する表示方法情報を各電柱１０２ごとに記憶する記憶部９０３と、記憶部９０３２に記憶された広告情報および表示方法情報を表示する日時に関する情報に基づいて各電柱１０２へネットワークを介して送信する送信部９０４と、を備えている。
【００８３】
そして、各電柱１０２が、広告情報および表示方法情報を前記ネットワークを介して受信する受信部４０１と、受信部４０１によって受信された広告情報および表示方法情報を記憶する記憶部４０２と、表示画面１０３を制御して、記憶部４０２に記憶された広告情報を記憶部４０２に記憶された表示方法情報に基づいて表示する表示制御部４０３と、を備えているため、広告情報として、動画、静止画、音声などを用いることで、広告としての効果を高めることができる。また、遠隔操作が可能となるだけでなく、現地での広告張り替え作業が不要となり、現地作業、特に高所作業を軽減できる。また、広告管理が簡便化することができる。また、広告体（表示装置１０３）の位置が高い場所、低い場所を選択できるので、高所は自動車への交通情報、低所では歩行者への情報提供として利用できる。
【００８４】
また、本実施の形態によれば、サーバ１０１が、記憶部９０３に記憶された表示方法情報に基づいて、広告主への課金情報を作成する課金情報作成部９０５を備えているため、
料金決済が容易におこなうことができる。
【００８５】
また、本実施の形態によれば、サーバ１０１が、広告主から、広告情報と、当該広告情報を表示する日時に関する情報と、電柱１０２のうち当該広告情報を表示する電柱に関する情報とを、インターネット１０４を介して受け付ける受付部９０１を備えているため、広告の申込が簡便化を図ることができる。また、広告審査処理の事務作業の効率化も図ることができ、審査時間の短縮に寄与することができる。
【００８６】
また、本実施の形態によれば、各電柱１０２の表示制御部４０３が、表示する日時が同一の複数の広告情報がある場合、当該複数の広告情報を所定の時間隔で切り換えて表示するため、一つの表示画面１０３に複数表示できることから、商標地域や商店の広告をタイムシェア、画面のシェアをするが可能となる。
【００８７】
また、本実施の形態によれば、各電柱１０２の表示制御部４０３が、他の広告情報を表示している状態において、受信部４０１によって新たな表示情報を受信した場合、または受信部４０１によって受信した新たな表示情報の表示開始時刻になった場合に、当該表示情報の優先度に関する情報に基づいて、当該他の広告情報の表示に換えて、当該表示情報を表示するため、災害時の停電情報、冠婚葬祭やイベントでの道案内、災害時の避難場所への道案内、工事現場の現場表示や注意表示、交通情報、バス停などの案内などに利用することができる。
【００８８】
このように、時間帯別に広告内容を変更できるため、時間帯別に無駄な広告を減らすととともに、時間帯別の課金制などを導入することができる。また、防災・防犯の観点から特定の時間、場所にメッセージを配信できる。これによって、児童、生徒の通学時間帯、通学路に安全に関した注意喚起ができる。また、業務上の事故停電などの際に、停電をしているといった情報を流すだけでなく、原因箇所、作業進捗状況、他の住民から停電であることが電力会社へ連絡済みであることなどの情報を表示することができる。また、災害時の停電情報を表示することで、有線放送などとあわせて利用することもできる。
【００８９】
以上説明したように、電柱を電力供給のための設備としての認識から、地域によって有用な広告・情報提供をおこなうものとして認識させることができ、電力会社への理解・協力や、電柱広告の付加価値を高めることができ、電柱の資産価値、電力会社の企業価値を向上させることができる。
【産業上の利用可能性】
【００９０】
以上のように、本発明にかかる電柱広告表示システム、電柱広告表示方法および電柱広告表示プログラムは、電柱広告に有用であり、特に、広告のほか、各種情報を住民に告知するのに適している。
【符号の説明】
【００９１】
１００  ネットワーク
１０１  サーバ
１０２（１０２ａ、１０２ｂ、１０２ｃ）  電柱
１０３  表示画面
１０４  インターネット
１０５（１０５ａ、１０５ｂ、１０５ｃ）  広告主端末装置
４０１  受信部
４０２  記憶部
４０３  表示制御部
４０４  音声出力部
９０１  受付部
９０２  制御部
９０３  記憶部
９０４  送信部
９０５  課金情報作成部
９１１  広告主情報ＤＢ
９１２  電柱情報ＤＢ
９１３  広告情報ＤＢ
９１４  課金情報ＤＢ
【図１】
2010197915.tif 000003
【図２】
2010197915.tif 000004
【図３】
2010197915.tif 000005
【図４】
2010197915.tif 000006
【図５】
2010197915.tif 000007
【図６】
2010197915.tif 000008
【図７】
2010197915.tif 000009
【図８】
2010197915.tif 000010
【図９】
2010197915.tif 000011
【図１０】
2010197915.tif 000012
【図１１】
2010197915.tif 000013
【図１２】
2010197915.tif 000014
【図１３】
2010197915.tif 000015
【図１４】
2010197915.tif 000016
【図１５】
2010197915.tif 000017
【図１６】
2010197915.tif 000018
【図１７】
2010197915.tif 000019
【図１８】
2010197915.tif 000020
【図１９】
2010197915.tif 000021
【図２０】
2010197915.tif 000022
【図２１】
2010197915.tif 000023